(57)【要約】      （修正有）【課題】粗編集の効率をあげる編集支援システムを提供する。【解決手段】編集装置映像コンテンツ編集支援システムは，コンテンツデータに関連する電子マークデータを生成するマーク生成部と；テイクごとに生成された電子マークデータに基づきテイクメタデータファイルを生成するテイクメタデータ生成部と；テイクメタデータファイル及びコンテンツデータを，記録媒体に記録する管理部と；記録媒体に記録されたテイクメタデータファイルに基づき電子マークリストデータを生成するリスト生成部；電子マークリストデータを編集する編集部とを含む。【選択図】  図５
2004180279.tif 000002
【特許請求の範囲】
【請求項１】
コンテンツデータに関連する電子マークデータを生成するマーク生成部と；
テイクごとに生成された前記電子マークデータに基づき，テイクメタデータファイルを生成するテイクメタデータ生成部と；
前記コンテンツデータと該コンテンツデータに関連する前記テイクメタデータファイルとを，別ファイルとして管理する管理部と；
前記テイクメタデータファイルに基づき，電子マークリストデータを生成するリスト生成部と；
前記電子マークリストデータを編集する編集部と；
を含むことを特徴とする，コンテンツ編集支援システム。
【請求項２】
コンテンツデータに関連する電子マークデータを生成するマーク生成部と；
前記電子マークデータに基づき，テイクごとにテイクメタデータファイルを生成するテイクメタデータ生成部と；
前記コンテンツデータと該コンテンツデータに関連するテイクメタデータとを別ファイルとして管理する管理部とを備えることを特徴とする，映像処理装置。
【請求項３】
前記コンテンツデータと前記テイクメタデータファイルに含む電子マークデータとは，前記コンテンツデータをフレーム単位で識別可能とする時間情報コードで関連付けられることを特徴とする，請求項２に記載の映像処理装置。
【請求項４】
前記管理部は，前記コンテンツデータと前記テイクメタデータとを別ファイルとして記録媒体に記録することを特徴とする，請求項２に記載の映像処理装置。
【請求項５】
前記テイクは，１回の記録開始から終了に至る連続した撮像処理に相当することを特徴とする，請求項２に記載の映像処理装置。
【請求項６】
前記マーク生成部は，前記撮像されたコンテンツデータに特殊なコンテンツである特殊コンテンツデータが含まれる場合，該特殊コンテンツデータに関連する前記電子マークデータを生成することを特徴とする，請求項２に記載の映像処理装置。
【請求項７】
前記特殊コンテンツデータは，光の明滅により生じるフラッシュを伴って撮像されたフラッシュ映像データを含むことを特徴とする，請求項６に記載の映像処理装置。
【請求項８】
前記特殊コンテンツデータは，少なくとも音声出力レベルの限界値を超えて録音された大音量音声データを含むことを特徴とする，請求項６に記載の映像処理装置。
【請求項９】
前記テイクメタデータファイルは，少なくとも前記電子マークデータと，前記時間情報コードとを含むことを特徴とする，請求項２に記載の映像処理装置。
【請求項１０】
前記管理部は，前記テイクごとに撮像された前記コンテンツデータと該コンテンツデータに関連するテイクメタデータファイルとを組み合わせ，前記記録媒体に記録することを特徴とする，請求項２に記載の映像処理装置。
【請求項１１】
前記管理部は，前記テイクごとに撮像された前記コンテンツデータが記録される前記記録媒体の記憶領域とは別領域に，前記コンテンツデータに関連するテイクメタデータファイルを記録することを特徴とする，請求項２に記載の映像処理装置。
【請求項１２】
前記映像処理装置は，前記コンテンツデータを撮像する撮像部をさらに備えることを特徴とする，請求項２に記載の映像処理装置。
【請求項１３】
前記電子マークデータは，前記コンテンツデータのインデックスであることを特徴とする，請求項２に記載の映像処理装置。
【請求項１４】
コンテンツデータを再生する再生装置において：
記録媒体に記録されたデータを再生する再生部と，
前記コンテンツデータとともに前記記録媒体に記録され，テイクごとに生成されたファイルであるテイクメタデータファイルに基づき，電子マークリストデータを生成するリスト生成部とを備えることを特徴とする，再生装置。
【請求項１５】
前記テイクは，１回の記録開始から終了に至る連続した撮像処理に相当することを特徴とする，請求項１４に記載の再生装置。
【請求項１６】
記録媒体に記録されたテイクごとに生成されたファイルであるテイクメタデータファイルに基づき生成された電子マークリストデータを編集する編集部と，
電子マークリストデータを表示させる表示制御部とを備えることを特徴とする，編集装置。
【請求項１７】
前記テイクは，１回の記録開始から終了に至る連続した撮像処理に相当することを特徴とする，請求項１６に記載の編集装置。
【請求項１８】
前記テイクメタデータファイルは，少なくとも前記コンテンツデータに関連する電子マークデータと，時間情報コードとを含むことを特徴とする，請求項１６に記載の編集装置。
【請求項１９】
前記編集部は，編集された前記電子マークリストデータに基づき，前記コンテンツデータを編集するための編集リストデータを生成することを特徴とする，請求項１６に記載の編集装置。
【請求項２０】
前記編集部は，前記電子マークリストデータに，前記電子マークデータを追加することを特徴とする，請求項１６に記載の編集装置。
【請求項２１】
コンテンツデータに関連する電子マークデータを生成し；
テイクごとに生成される前記電子マークデータに基づき，テイクメタデータファイルを生成し；
前記コンテンツデータと該コンテンツデータに関連するテイクメタデータとを別ファイルとして管理することを特徴とする，コンテンツ処理方法。
【請求項２２】
前記コンテンツデータと前記テイクメタデータファイルに含む電子マークデータとは，前記コンテンツデータをフレーム単位に識別するための時間情報コードで関連付けられることを特徴とする，請求項２１に記載のコンテンツ処理方法。
【請求項２３】
前記コンテンツデータと前記テイクメタデータとは，別ファイルとして記録媒体に記録され，管理されることを特徴とする，請求項２１に記載のコンテンツ処理方法。
【請求項２４】
前記テイクは，１回の記録開始から終了に至る連続した撮像処理に相当することを特徴とする，請求項２１に記載のコンテンツ処理方法。
【請求項２５】
前記電子マークデータを生成するステップでは，前記撮像されたコンテンツデータに特殊なコンテンツである特殊コンテンツデータが含まれる場合，該特殊コンテンツデータに関連する前記電子マークデータが生成されることを特徴とする，請求項２１に記載のコンテンツ処理方法。
【請求項２６】
前記特殊コンテンツデータは，光の明滅により生じるフラッシュを伴って撮像されたフラッシュ映像データを含む請求項２５に記載のコンテンツ処理方法。
【請求項２７】
前記特殊コンテンツデータは，音声出力レベルの限界値を超えて録音された大音量音声データを含むことを特徴とする，請求項２５に記載のコンテンツ処理方法。
【請求項２８】
前記テイクメタデータファイルは，少なくとも前記電子マークデータと，前記時間情報コードと前記コンテンツデータ撮像時の撮像情報とを含むことを特徴とする，請求項２１に記載のコンテンツ処理方法。
【請求項２９】
少なくとも前記テイクごとに撮像された前記コンテンツデータと該コンテンツデータに関連する前記テイクメタデータファイルとが組み合わされ，前記記録媒体に記録されることを特徴とする，請求項２１に記載のコンテンツ管理方法。
【請求項３０】
前記テイクごとに撮像された前記コンテンツデータが記録される前記記録媒体の記憶領域とは別領域に，該コンテンツデータに関連する前記テイクメタデータファイルは記録されることを特徴とする，請求項２１に記載のコンテンツ処理方法。
【請求項３１】
電子マークデータは，前記コンテンツデータのインデックスであることを特徴とする，請求項２１に記載のコンテンツ処理方法。
【請求項３２】
コンテンツデータに関連する電子マークデータを生成する処理と；
テイクごとに生成される前記電子マークデータに基づき，テイクメタデータファイルを生成する処理と；
前記コンテンツデータと該コンテンツデータに関連するテイクメタデータとを別ファイルに管理する処理とが含まれるコンテンツ処理方法をコンピュータに実行させることを特徴とする，コンピュータプログラム。
【請求項３３】
コンテンツデータとともに記録媒体に記録され，テイクごとに生成されるテイクメタデータファイルを読む処理が含まれるコンテンツ処理方法をコンピュータに実行させることを特徴とする，コンピュータプログラム。
【請求項３４】
コンテンツデータとともに記録媒体に記録され，少なくともテイクごとに生成されるテイクメタデータファイルを読む処理と；
前記テイクメタデータファイルに基づき，電子マークリストデータを生成する処理とが含まれるコンテンツ処理方法をコンピュータに実行させることを特徴とする，コンピュータプログラム。
【請求項３５】
コンテンツデータに関連する電子マークデータを生成する処理と；
テイクごとに生成される前記電子マークデータに基づき，テイクメタデータファイルを生成する処理と；
前記コンテンツデータと該コンテンツデータに関連するテイクメタデータとを別ファイルに管理する処理とが含まれるコンテンツ処理方法をコンピュータに実行させることを特徴とする，コンピュータプログラム。
【請求項３６】
コンテンツデータとともに記録媒体に記録され，テイクごとに生成されるテイクメタデータファイルを読む処理と；
前記テイクメタデータファイルに基づき，電子マークリストデータを生成する処理とが含まれるコンテンツ処理方法をコンピュータに実行させることを特徴とする，コンピュータプログラム。
【請求項３７】
コンテンツデータとともに記録媒体に記録され，少なくともテイクごとに生成されるテイクメタデータファイルを読む処理と；
前記テイクメタデータファイルに基づき，電子マークリストデータを生成する処理とが含まれるコンテンツ処理方法をコンピュータに実行させることを特徴とする，コンピュータプログラム。
【発明の詳細な説明】
【技術分野】
【０００１】
本発明はコンテンツデータを編集する編集システムにかかり，特にコンテンツ編集支援システム，映像処理装置，編集装置，コンピュータプログラム，及びコンテンツ処理方法に関する。
【背景技術】
【０００２】
放送番組などは，取材先の現場で撮像された取材内容などの複数のコンテンツ素材（コンテンツデータ）を編集して放映している。上記コンテンツデータの編集には，例えば，粗編集および本編集などがある。粗編集は，撮像処理ごとに撮像された複数のコンテンツデータから，放映するための映像シーンを取捨選択，映像シーンの範囲指定等をすることである。本編集は，上記粗編集された少なくとも一つの映像シーンに基づき，完成作品である最終コンテンツデータ（完全パッケージ；完パケ）を制作することである。なお，映像シーンは，少なくとも１つの映像カットからなる集まりをいう。また映像カットは，テイクにより撮像されたコンテンツデータに，切り出し開始位置（Ｉｎ点）と切り出し終了（Ｏｕｔ点）が指定されたコンテンツデータである。さらに，テイクは１回の記録開始から終了に至る連続した撮像処理である。
【０００３】
粗編集では，映像シーンの取捨選択するために，映像シーンの一部である映像カットを抽出する必要がある。したがって，まず複数のコンテンツデータから必要となりそうなコンテンツデータを取捨選択する。
【０００４】
コンテンツデータが選択されると，次に，選択された各コンテンツデータに対する切り出し開始位置（Ｉｎ点）および切り出し終了位置（Ｏｕｔ点）を例えば紙媒体などに記録することで，映像カットを抽出する。
【０００５】
映像カットの抽出後，コンテンツデータから抽出された少なくとも一つの映像カットを，本編集で使用する映像シーンの構成に応じて組み合わせることで，映像シーンに編集することができる（例えば，特許文献１）。
【０００６】
撮像されたコンテンツデータを粗編集する処理は，上記説明のとおり，まずテイクで撮像されたコンテンツデータから，本編集で必要とされる映像シーンに適当な映像カットを取捨選択する必要がある。例えば，放送業界の報道番組（ニュース番組）のインタビューなどの映像では，被写体に対してカメラのストロボなどのフラッシュが発光される決定的瞬間を捉えた“特徴”を有する特殊な映像が多い。
【０００７】
したがって，例えばフラッシュがたかれるなど特殊な映像（特殊映像）に当てはまる映像カットをコンテンツデータから選択するために，撮像終了後，一般的には磁気テープなどの記録媒体に記録されたコンテンツデータを記録再生装置（ＶＴＲ，Ｖｉｄｅｏ  Ｔａｐｅ  Ｒｅｃｏｒｄｅｒ）によりコンテンツデータの最初から再生処理を行い，編集者等により必要な特徴特殊映像が選択される。
【０００８】
【特許文献１】特開２００１−２９０７３１号公報
【発明の開示】
【発明が解決しようとする課題】
【０００９】
しかしながら，特殊映像に当てはまる映像カットを取捨選択（Ｌｏｇｇｉｎｇ）するために，撮像されたコンテンツデータを改めて最初から再生処理する必要があった。
【００１０】
さらに，コンテンツデータの再生・巻き戻し処理などを繰返し行うことで，特殊映像に該当する映像カットが選択される場合が多かった。
【００１１】
したがって，粗編集には，上記テイクごとに撮像された複数のコンテンツデータから，特殊映像を目視で探索することにより必要なコンテンツデータの取捨選択（Ｌｏｇｇｉｎｇ）と，選択されたコンテンツデータの中から，映像カットとして使用する範囲（Ｉｎ点及びＯｕｔ点の指定。）を定める抽出処理が含まれるため，粗編集の効率が向上しない。
【００１２】
本発明は，上記問題点に鑑みてなされたものであり，本発明の目的は，コンテンツデータとは区別され，撮像時に記録媒体に少なくとも記録されるテイクメタデータファイルに基づき，必要なコンテンツデータの取捨選択およびコンテンツデータから映像カットの抽出を行うことで，編集処理の作業効率を高めることが可能な，新規かつ改良された映像コンテンツ編集支援システムを提供することである。
【課題を解決するための手段】
【００１３】
上記課題を解決するため，本発明の観点によれば，コンテンツ編集支援システムが提供される。上記コンテンツ編集支援システムは，コンテンツデータに関連する電子マークデータを生成するマーク生成部と，テイクごとに生成された前記電子マークデータに基づき，テイクメタデータファイルを生成するテイクメタデータ生成部と，コンテンツデータと該コンテンツデータに関連するテイクメタデータファイルとを，別ファイルとして管理する管理部と，テイクメタデータファイルに基づき，電子マークリストデータを生成するリスト生成部と，電子マークリストデータを編集する編集部とを含んでいる。
【００１４】
本発明によれば，コンテンツ編集支援システムは，コンテンツデータに関連するインデックスを表す電子マークデータを生成し，少なくともテイクごとに生成された電子マークデータを一括して含むテイクメタデータファイルを生成し，コンテンツデータと当該コンテンツデータに係るテイクメタデータファイルとを別ファイルに管理し，上記テイクメタデータファイルに基づき注目すべき位置を示す電子マークデータの一覧である電子マークリストデータを生成し，電子マークリストデータを編集する。かかる構成により，テイクメタデータファイルとコンテンツデータとが別ファイルに管理されることから，テイクメタデータファイルを直接アクセスし，テイクメタデータファイルに含まれる電子マークデータを迅速かつ効率的に検索することで，粗編集時の編集効率を向上させることができる。
【００１５】
上記課題を解決するため，本発明の別の観点によれば，映像処理装置が提供される。上記映像処理装置は，コンテンツデータに関連する電子マークデータを生成するマーク生成部と，電子マークデータに基づき，テイクごとにテイクメタデータファイルを生成するテイクメタデータ生成部と，コンテンツデータと該コンテンツデータに関連するテイクメタデータとを別ファイルとして管理する管理部とを備えている。
【００１６】
本発明によれば，映像処理装置は，コンテンツデータに含まれる映像に関連するインデックスを表す電子マークデータを生成する。そして，映像処理装置は，少なくともテイクごとに生成された電子マークデータを一括して含むテイクメタデータファイルを生成し，コンテンツデータと当該コンテンツデータに係るテイクメタデータファイルとを別ファイルに管理する。かかる構成により，テイクメタデータファイルとコンテンツデータとが別ファイルに管理されることから，テイクメタデータファイルのみを直接アクセスし，テイクメタデータファイルに含まれる電子マークデータを迅速かつ効率的に検索することができる。したがって，粗編集時の編集効率を向上させることができる。
【００１７】
上記課題を解決するため，本発明の別の観点によれば，コンテンツデータを再生する再生装置，編集装置が提供される。上記再生装置は，記録媒体に記録されたデータを再生する再生部と，コンテンツデータとともに記録媒体に記録され，テイクごとに生成されたファイルであるテイクメタデータファイルに基づき，電子マークリストデータを生成するリスト生成部とを備えている。上記編集装置は，記録媒体に記録されたテイクごとに生成されたファイルであるテイクメタデータファイルに基づき生成された電子マークリストデータを編集する編集部と，電子マークリストデータを表示させる表示制御部とを備えている。
【００１８】
上記課題を解決するため，本発明の別の観点によれば，コンテンツ処理方法が提供される。上記コンテンツ処理方法は，コンテンツデータに関連する電子マークデータを生成する処理と，テイクごとに生成される前記電子マークデータに基づき，テイクメタデータファイルを生成する処理と，コンテンツデータと該コンテンツデータに関連するテイクメタデータとを別ファイルとして管理する処理とが含まれることを特徴としている。
【００１９】
また，上記課題を解決するため，本発明の別の観点によれば，別のコンテンツ処理方法は，コンテンツデータに関連する電子マークデータを生成する処理と，テイクごとに生成される電子マークデータに基づき，テイクメタデータファイルを生成する処理と，コンテンツデータと該コンテンツデータに関連するテイクメタデータとを別ファイルに管理する処理とが含まれることを特徴としている。
【００２０】
上記課題を解決するため，本発明の別の観点によれば，コンテンツ処理方法は，コンテンツデータとともに記録媒体に記録され，テイクごとに生成されるテイクメタデータファイルを読む処理と，テイクメタデータファイルに基づき，電子マークリストデータを生成する処理とが含まれることを特徴とする。
【００２１】
上記課題を解決するため，本発明の別の観点によれば，コンテンツ処理方法が提供され，上記コンテンツ処理方法は，コンテンツデータとともに記録媒体に記録され，少なくともテイクごとに生成されるテイクメタデータファイルを読む処理と，テイクメタデータファイルに基づき，電子マークリストデータを生成する処理とが含まれることを特徴としている。
【００２２】
さらに，上記課題を解決するため，本発明の別の観点によれば，コンピュータにコンテンツ処理方法を実行させるコンピュータプログラムが提供される。上記コンピュータプログラムは，コンピュータに，コンテンツデータに関連する電子マークデータを生成する処理と，テイクごとに生成される前記電子マークデータに基づき，テイクメタデータファイルを生成する処理と，コンテンツデータと該コンテンツデータに関連するテイクメタデータとを別ファイルに管理する処理とが含まれるコンテンツ処理方法を実行させることを特徴としている。
【００２３】
また，上記課題を解決するため，本発明の別の観点によれば，コンピュータにコンテンツ処理方法を実行させるコンピュータプログラムが提供される。上記コンピュータプログラムは，コンピュータに，コンテンツデータとともに記録媒体に記録され，テイクごとに生成されるテイクメタデータファイルを読む処理と，テイクメタデータファイルに基づき，電子マークリストデータを生成する処理とが含まれるコンテンツ処理方法を実行させることを特徴としている。
【００２４】
さらに，上記課題を解決するため，本発明の別の観点によれば，コンピュータにコンテンツ処理方法を実行させるコンピュータプログラムが提供される。上記コンピュータプログラムは，コンピュータに，コンテンツデータとともに記録媒体に記録され，少なくともテイクごとに生成されるテイクメタデータファイルを読む処理と，テイクメタデータファイルに基づき，電子マークリストデータを生成する処理とが含まれるコンテンツ処理方法を実行させることを特徴としている。
【発明を実施するための最良の形態】
【００２５】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２６】
（１．  システム構成）
まず，図１を参照しながら，本発明に基づいて構成された映像コンテンツ編集支援システムの構成について説明する。図１は，本実施の形態にかかる映像コンテンツ編集支援システムの概略的な構成を示すブロック図である。
【００２７】
図１に示すように，映像コンテンツ編集支援システムは，撮像装置１０１と，光ディスク１０４を介して記録されたコンテンツデータを再生する再生装置１０２と，再生されたコンテンツデータを表示，編集する編集装置１０３と，ネットワーク１０５とから構成される。なお，ネットワーク１０５は，上記撮像装置１０１，再生装置１０２，編集装置１０３のうち少なくとも２つを相互に接続しているが，かかる例に限定されず，ネットワーク１０５が構成されない場合であっても実施可能である。この場合は，光ディスク１０４が上記撮像装置１０１，再生装置１０２，編集装置１０３とにオフラインで提供されることにより実施される。なお，コンテンツデータは，少なくとも一つのフレームからなり，映像データ及び音声データから構成されるデータであるが，映像データのみ，音声データのみの場合も含む。また，本実施の形態にかかる撮像装置１０１は，例えば，コンテンツデータを記録する記録処理等を実行可能な映像処理装置を例示することができる。
【００２８】
上記撮像装置１０１，再生装置１０２，および編集装置１０３は，必ずしも各装置とも１台から構成される必要はなく，複数台から構成される場合であっても実施可能であり，例えば，複数台の撮像装置１０１が撮像したコンテンツデータを，光ディスク１０４またはネットワーク１０５を介して，再生装置１０２又は編集装置１０３に送信することが可能である。
【００２９】
また，撮像装置１０１，再生装置１０２，および編集装置１０３との間にセンタサーバ（図示せず。）を備えることで，撮像装置１０１，再生装置１０２，および編集装置１０３をクライアントとした，クライアント／サーバ（Ｃｌｉｅｎｔ／Ｓｅｒｖｅｒ）のネットワークシステムに構成することも可能である。
【００３０】
撮像装置１０１は，カムコーダなどの，ビデオカメラであり，放送用のニュース番組の取材や，スポーツなどの試合の模様や，映画などの素材の撮像に使用される装置である。
【００３１】
また図１に示すように，光ディスク１０４は，撮像装置１０１にセットすることで，取材の現場等で，撮像装置１０１により，例えばテイクメタデータファイル，コンテンツデータなどを光ディスク１０４に記録することができる。なお，本実施の形態にかかる光ディスク１０４は，例えば，ＤＶＤ−Ｒ，ＤＶＤ−ＲＡＭなどが例示されるが，かかる例に限定されず，ランダムアクセス可能な光磁気ディスク及び光ディスク，さらに例えばＤ１０フォーマットと呼ばれるデジタルＶＴＲフォーマット等の磁気テープの場合でも実施可能である。上記テイクメタデータファイルは，１回のテイクで発生する少なくとも一つの電子マークデータ等を含む。またテイクメタデータファイルは，撮像装置１０１等により生成される電子マークデータに基づいて作成されるが，電子マークデータ及びテイクメタデータファイルについては後程詳述する。
【００３２】
撮像装置１０１は，再生装置１０２を介さずに，取材などで撮像されたコンテンツデータを光ディスク１０４に記録し，上記記録されたコンテンツデータを再生することも可能である。
【００３３】
コンテンツデータは，写真や絵画などの静止画像データ，映画や演劇などの動画像データ，ラジオ番組などの音声データ，またはそれらの組合せから構成されるデータである。
【００３４】
上記撮像装置１０１は，テイクごとに撮像されたコンテンツデータを光ディスク１０４に記録する。なおテイクは，１回の記録開始から終了に至る連続した撮像処理のことである。
【００３５】
本編集で完全パッケージデータを制作するために，本編集の前段階である粗編集では，まず撮像装置１０１によりテイクごとに記録された複数のコンテンツデータから，本編集で必要となりそうなコンテンツデータを集める。なお，完全パッケージデータが放送番組などで放映される。
【００３６】
次に，粗編集では，上記集められたコンテンツデータから必要なコンテンツデータを選択（Ｌｏｇｇｉｎｇ）し，選択されたコンテンツデータに，切り出し開始位置（Ｉｎ点）または切り出し終了位置（Ｏｕｔ点）を設定し，映像カットを抽出する抽出処理（Ｉｎｇｅｓｔｉｎｇ）などが行われる。なお，映像カットは，テイクにより撮像されたコンテンツデータにＩｎ点とＯｕｔ点とが指定されたコンテンツデータである。テイクにより撮像されたコンテンツデータから少なくとも一つの映像カットが抽出される。
【００３７】
上記粗編集を経て，本編集することにより，番組などで放映するための完全パッケージデータが制作される。上記完全パッケージデータは，従来では，特殊映像である映像カットを表すテイクメタデータファイル自体が記録されないため，コンテンツデータを，最初から再生し，本編集に必要な映像カットのＩｎ点またはＯｕｔ点である編集位置を，人手により決定して紙媒体などに記録する場合が多かった。
【００３８】
再生装置１０２は，光ディスク１０４に記録されたコンテンツデータまたはテイクメタデータファイルをランダムアクセスし，直接必要なデータを読むことが可能である。さらに，テイクメタデータファイルに基づき電子マークリストデータを作成する。読み込まれたコンテンツデータまたは電子マークリストデータは，編集装置１０３にネットワーク１０５を介して送信される。なお本実施の形態にかかる再生装置１０２は再生する場合を例に挙げて説明したが，かかる例に限定されず，光ディスク１０４に例えばコンテンツデータまたはテイクメタデータファイルなどを記録することが可能である。電子マークリストデータは後程詳述する。
【００３９】
編集装置１０３は，再生装置１０２から再生されるコンテンツデータまたは電子マークリストデータを，ネットワーク１０５を介して受信し，撮像されたコンテンツデータをディスプレイ装置などに表示する。さらに，電子マークリストデータを表示し，上記電子マークリストデータを編集することができる。なお，上記電子マークリストデータの編集については後程詳述する。
【００４０】
ネットワーク１０５は，例えば，ＦＤＤＩ（Ｆｉｂｅｒ  Ｄｉｓｔｒｉｂｕｔｅｄ  Ｄａｔａ  Ｉｎｔｅｒｆａｃｅ）などの光ファイバ網をはじめ，ＩＥＥＥ８０２．１１ａ規格などの無線，ＲＳ−２３２Ｃ，またはＲＳ−４２２などの有線から構成される。また，衛星通信などから構成することも可能である。
【００４１】
（１．１  電子マークデータについて）
つぎに，本実施の形態にかかる電子マークデータについて説明する。
【００４２】
電子マークデータは，例えば，撮像時において，コンテンツデータに関連するインデックスを表すメタデータである。したがって，電子マークデータが，コンテンツデータの映像のインデックスとなり，例えば，粗編集時に，コンテンツデータの映像が，どのような映像であるかが，コンテンツデータの再生処理をしなくても把握することができるため編集効率の向上を図れる。なお，電子マークデータは，コンテンツデータの映像に限定されず，例えば，コンテンツデータの音声のインデックスとなる場合でもよい。またコンテンツデータには，例えばフラッシュが発光される映像など特殊なコンテンツデータが含まれる場合がある。特殊コンテンツデータについては後程詳述する。
【００４３】
電子マークデータは，ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）標準規格が定めるところの方法に従い，ＳＤＩ（Ｓｅｒｉａｌ  Ｄｉｇｉｔａｌ  Ｉｎｔｅｒｆａｃｅ）などにより伝送することが可能である。
【００４４】
図２に示すように，本実施の形態にかかる電子マークデータは，予め予約語として定められている。したがって，例えば本実施の形態にかかる撮像装置１０１，再生装置１０２，編集装置１０３などのインタフェース間では，予め電子マークデータを互いの装置が解釈できる別の形式に変換することなく，共通した制御を行うことが可能である。
【００４５】
図２に示すように，上記電子マークデータとしては，記録開始位置の“＿ＲｅｃＳｔａｒｔ”（撮像開始マーク）と，記録終了位置の“＿ＲｅｃＥｎｄ”（撮像終了マーク）と，撮像時にカメラマンの所定ボタンの押下によりマークの位置が指定され，注目すべき時点などを示す“＿ＳｈｏｔＭａｒｋ１”（ショットマーク１）と，“＿ＳｈｏｔＭａｒｋ１”とは別の注目すべき時点などを示す任意位置“＿ＳｈｏｔＭａｒｋ２”（ショットマーク２）と，編集時に設定されるマークであり，映像のつなぎ目に設定されるカット位置を示す“＿Ｃｕｔ”（カットマーク）と，フラッシュ（Ｆｌａｓｈ）検出位置である“＿Ｆｌａｓｈ”（フラッシュマーク）と，撮像装置１０１のレンズフィルタの変更位置を示す“＿ＦｉｌｔｅｒＣｈａｎｇｅ”と，撮像装置１０１のＣＣＤ（撮像素子）等の電子シャッタ速度の変更位置を示す“＿ＳｈｕｔｔｅｒＳｐｅｅｄＣｈａｎｇｅ”（シャッタ変更マーク）と，ゲインの変更位置である“＿ＧａｉｎＣｈａｎｇｅ”（ゲイン変更マーク）と，ホワイトバランスの変更位置である“＿ＷｈｉｔｅＢａｌａｎｃｅＣｈａｎｇｅ”（ホワイトバランスマーク）と，ビデオ出力レベルが限界値を超えた位置の“＿ＯｖｅｒＢｒｉｇｈｔｎｅｓｓ”と，オーディオ（音声）出力レベルが限界値を超えた位置の“＿ＯｖｅｒＡｕｄｉｏＬｉｍｉｔｅｒ”（大音量マーク）と，映像カットを抽出する際に使用される切り出し開始位置を示す“＿Ｉｎ−ＸＸＸ”（編集開始マーク）と，映像カットを抽出する際に使用される切り出し終了位置を示す“＿Ｏｕｔ−ＸＸＸ”（編集終了マーク）とを有する。なお本実施の形態にかかる電子マークデータは，かかる例に限定されず，その一部であっても，さらに新規に追加する場合であっても実施可能である。
【００４６】
図２に示す電子マークデータの記録されるタイミングとして，コンテンツデータにおける記録される相対的な位置は，以下に記載の通りである。“＿ＲｅｃＳｔａｒｔ”は，コンテンツデータの記録開始点のフレームであり，“＿ＲｅｃＥｎｄ”は，コンテンツデータの記録終了点のフレームであり，“＿ＳｈｏｔＭａｒｋ１”及び“＿ＳｈｏｔＭａｒｋ２”は，各装置からの指定位置であり，“＿Ｃｕｔ”は，カット検出点のフレームであり，“＿Ｆｌａｓｈ”は，フラッシュが検出された地点のフレームであり，“＿ＦｉｌｔｅｒＣｈａｎｇｅ”は，レンズフィルタ変更点のフレームであり，“＿ＳｈｕｔｔｅｒＳｐｅｅｄＣｈａｎｇｅ”は，シャッタ速度変更点のフレームであり，“＿ＧａｉｎＣｈａｎｇｅ”は，ゲイン変更点のフレームであり，“＿ＷｈｉｔｅＢａｌａｎｃｅＣｈａｎｇｅ”は，ホワイトバランス変更点のフレームであり，“＿ＯｖｅｒＢｒｉｇｈｔｎｅｓｓ”は，ビデオ出力レベルが限界値を超えた地点のフレームであり，“＿ＯｖｅｒＡｕｄｉｏＬｉｍｉｔｅｒ”は，音声出力レベルが限界値を超えた地点のフレームであり，“＿Ｉｎ−ＸＸＸ”及び“＿Ｏｕｔ−ＸＸＸ”は，各装置からの指定位置のフレームである。
【００４７】
“＿Ｉｎ−ＸＸＸ”及び“＿Ｏｕｔ−ＸＸＸ”の“ＸＸＸ”は，例えば，Ｉｎ点又はＯｕｔ点が追加されるごとに，数字またはアルファベットなどがシーケンスにナンバリングされていく。すなわち，“＿Ｉｎ−００１”，“＿Ｉｎ−００２”，…，“＿Ｉｎ−００３”のように例示することができる。
【００４８】
また，“＿Ｆｌａｓｈ”又は“＿ＯｖｅｒＡｕｄｉｏＬｉｍｉｔｅｒ”などは，フラッシュ映像データ又は大音量音声データである特殊コンテンツデータとして撮像装置１０１により検出され，電子マークデータが自動生成される。上記“＿Ｆｌａｓｈ”として電子マークデータが生成される場合のフラッシュ映像データが検出される処理については後程詳述する。なお，本実施の形態にかかる電子マークデータは，ＵＭＩＤ（Ｕｎｉｑｕｅ  Ｍａｔｅｒｉａｌ  Ｉｄｅｎｔｉｆｉｅｒ）を利用し，どのコンテンツデータのどのフレームであるかを識別する場合であっても実施可能である。ＵＭＩＤは，コンテンツデータをグローバルに識別できる識別子である。ＵＭＩＤを用いることで，コンテンツデータのフレームまで管理することができる。したがって，コンテンツデータのフレーム単位に上記電子マークデータをファイルに記録するとともに，ＵＭＩＤもフレーム単位にファイルに記録することで，電子マークデータからコンテンツデータのフレームを特定することができる。
【００４９】
したがって，コンテンツデータに記述された電子マークデータを，粗編集処理において，索引することにより，目的とする映像シーンを効率的に選択することが可能となり，コンテンツデータを記録再生装置（ＶＴＲ）などで繰返し再生処理などをせずに，事前に本編集に必要となる映像シーンを選択する作業の効率化を図れる。
【００５０】
次に，図３を参照しながら，電子マークデータのデータ構造について説明する。図３は，本実施の形態にかかる電子マークデータのＫＬＶ（Ｋｅｙ  Ｌｅｎｇｔｈ  Ｖａｌｕｅ）符号化されたフォーマットを示す説明図である。
【００５１】
電子マークデータは，図２に示すように映像シーンのうち特殊な映像などが，例えばテキストデータ等により表され，コンテンツデータと関連付けられた（リンクされた）メタデータである。例えば，「フラッシュ」，「記録開始」などを，“＿Ｆｌａｓｈ”，“＿ＲｅｃＳｔａｒｔ”などのように，インデックスとしてテキストデータにより表される。
【００５２】
図３に示すように，電子マークデータがネットワーク１０５を介してＳＤＩ（Ｓｅｒｉａｌ  Ｄｉｇｉｔａｌ  Ｉｎｔｅｒｆａｃｅ）にて伝送される場合，ＫＬＶ符号化されており，ＫＬＶ符号化された電子マークデータは，最大４９バイトから構成される。フォーマットは，ＳＭＰＴＥ  ３３５Ｍ／ＲＰ２１０Ａ（メタデータ辞書）に準拠している。
【００５３】
ＫＬＶ符号化された電子マークデータは，図３に示すように，１６バイトからなる「Ｋｅｙ」部と，１バイトからなる「Ｌ」（Ｌｅｎｇｔｈ）部と，最大３２バイトからなる「Ｖａｌｕｅ」部とから構成される。
【００５４】
「Ｋｅｙ」部は，ＳＭＰＴＥ  ３３５Ｍ／ＲＰ２１０Ａ（メタデータ辞書）に準拠した，ＫＬＶ符号化されたデータ項目を示す識別子であり，電子マークデータであることを識別するための識別子である。様々なデータ項目に対する本識別子の値がＳＭＰＴＥのメタデータ辞書（Ｍｅｔａｄａｔａ  Ｄｉｃｔｉｏｎａｒｙ）に定義されている。
【００５５】
さらに，本実施の形態にかかる電子マークデータの符号化に対応するものとしては，ＳＭＰＴＥのメタデータ辞書に“Ｃａｔａｌｏｇｕｉｎｇ，ｌｎｄｅｘｉｎｇ，Ｔｈｅｓａｕｒｕｓ  ｏｒ  Ｇａｚｅｔｔｅｒ  ｓｙｓｔｅｍ  ｕｓｅｄ”と命名された項目が定義されている。
【００５６】
上記定義された“エレメント名”の具体的な値としては，電子マークデータがＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）の７ビット符号化文字セットで記述される場合，１６進数で表すと，０６（ｈ）  ０Ｅ（ｈ）  ２Ｂ（ｈ）  ３４（ｈ）  ０１（ｈ）  ０１（ｈ）  ０１（ｈ）  ０１（ｈ）  ０３（ｈ）  ０２（ｈ）  ０１（ｈ）  ０２（ｈ）  ０２（ｈ）  ００（ｈ）  ００（ｈ）  ００（ｈ）に表示される。
【００５７】
「Ｌ」部は，「Ｌ」部以降に続くデータの長さをバイト単位で示す。電子マークデータの符号化においては，ＩＳＯの７ビット符号化文字セットを用いた場合は最大のデータ長が３２バイト（２０（ｈ））である。なお，ＵＣＳ（Ｕｎｉｖｅｒｓａｌ  Ｍｕｌｔｉｐｌｅ−Ｏｃｔｅｔ  Ｃｏｄｅｄ  Ｃｈａｒａｃｔｅｒ  Ｓｅｔ）は，ＩＳＯ−７ビット符号化文字セットと同様に，ＩＳＯとＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）が共同で作成された符号化文字セットである。
【００５８】
「Ｖａｌｕｅ」部は，電子マークデータが格納されるテキストデータから成るフィールドである。
【００５９】
ＫＬＶ符号化された電子マークデータは，ＳＭＰＴＥ標準規格が定めるところの方法に従い，伝送される。例えばＳＤＩ（ＳｅｒｉａＩ  Ｄｉｇｉｔａｌ  Ｉｎｔｅｒｆａｃｅ）で伝送される場合においては，ＫＬＶ符号化された電子マークデータは，映像データのＶ‐ａｎｃｉｌｌａｒｙ領域に格納される。
【００６０】
さらに，本実施の形態にかかる電子マークデータの符号化に対応するものとしては，ＳＭＰＴＥのメタデータ辞書の“Ｃａｔａｌｏｇｕｉｎｇ，ｌｎｄｅｘｉｎｇ，Ｔｈｅｓａｕｒｕｓ  ｏｒ  Ｇａｚｅｔｔｅｒ  ｓｙｓｔｅｍ  ｕｓｅｄ”において，ＵＴＦ―１６（１６−ｂｉｔ  ＵＣＳ  Ｔｒａｎｓｆｏｒｍａｔｉｏｎ  Ｆｏｒｍａｔ：ユニコード）で記述される場合であっても実施可能である。
【００６１】
上記ＵＴＦ−１６の場合の“エレメント名”は，１６進数で表すと，０６（ｈ）０Ｅ（ｈ）  ２Ｂ（ｈ）  ３４（ｈ）  ０１（ｈ）  ０１（ｈ）  ０１（ｈ）  ０４（ｈ）  ０３（ｈ）  ０２（ｈ）  ０１（ｈ）  ０２（ｈ）  ０２（ｈ）  ０１（ｈ）００（ｈ）  ００（ｈ）である。
【００６２】
ＵＴＦ‐１６を用いた場合，「Ｖａｌｕｅ」部のデータ長は，無制限である。また「Ｖａｌｕｅ」部は，ＵＴＦ‐１６を用いた場合は，２バイトで１文字を表す。
【００６３】
（１．２  テイクメタデータファイルについて）
つぎに図４を参照しながら，本実施の形態にかかるテイクメタデータファイルに説明する。図４は，本実施の形態にかかるテイクメタデータファイルの概略的な構成を示す説明図である。
【００６４】
テイクメタデータファイルは，撮像装置１０１により，撮像時のテイクごとに生成された電子マークデータに基づき生成される。したがってテイクメタデータファイルは，テイクごとに撮像されたコンテンツデータのインデックスを表すメタデータである。
【００６５】
図４に示すように，テイクメタデータファイルは，ＸＭＬ（ｅＸｔｅｎｓｉｂｌｅ  Ｍａｒｋｕｐ  Ｌａｎｇｕａｇｅ）のタグ言語から構成されている。テイクメタデータファイルは，少なくとも撮像装置１０１の撮像情報を表す撮像情報部３０１と，コンテンツデータのファイル名を示す映像ファイル名部３０２と，テイクごとに生成された電子マークデータが含まれるマーク部３０３とが含まれる。
【００６６】
上記撮像情報部３０１は，“＜Ｄｅｖｉｃｅ＞”タグと“＜／Ｄｅｖｉｃｅ＞”タグとの間に定義されて，例えば“＜Ｍｏｄｅｌ  ｎａｍｅ＝”ＡＢＣ−０１２３“ｓｅｒｉａｌＮｏ＝”１２−３４−５６−７８“／＞”のタグでは撮像装置１０１のモデル型式が定義されているが，かかる例に限定されず他のタグ名を定義した場合であっても実施可能である。
【００６７】
上記映像ファイル名部３０２は，“＜ＣｏｍｐｏｎｅｎｔＭａｔｅｒｉａｌ＞”タグと“＜／ＣｏｍｐｏｎｅｎｔＭａｔｅｒｉａｌ＞”タグとの間に定義されて，例えばコンテンツデータのうちビデオ画像データのファイル名は，“＜Ｖｉｄｅｏ  ｓｒｃ＝“ｖｉｄｅｏ１．ｍｘｆ”／＞“などのように定義され，音声データのファイル名は，“＜Ａｕｄｉｏ  ｓｒｃ＝”ａｕｄｉｏ１．ｍｘｆ“／＞”などのように定義されるが，かかる例に限定されない。なお，ファイル名の拡張子である“ｍｘｆ”は，“ｍａｔｅｒｉａｌ  ｅｘｃｈａｎｇｅ  ｆｏｒｍａｔ”のフォーマットを意味する。
【００６８】
上記マーク部３０３は，電子マークデータと，時間情報である日時情報コードとが，“＜ＥｓｓｅｎｃｅＭａｒｋＴａｂｌｅ＞”と“＜／ＥｓｓｅｎｃｅＭａｒｋＴａｂｌｅ＞”との間に定義される。なお，本実施の形態にかかる日時情報コードは，日付及び時間からなる場合を例に挙げて説明したが，かかる例に限定されない。例えば，日時情報コードは，時間からなる時間情報コードや，広義に時間情報であるフレーム番号，またはタイムコードなどの場合でもよい。
【００６９】
図４に示すように，例えば“＜ＥｓｓｅｎｃｅＭａｒｋ  ｖａｌｕｅ＝“＿Ｆｌａｓｈ”＞０２／１０／２３／０９：４３：５２：０１＜／ＥｓｓｅｎｃｅＭａｒｋ＞”と定義されたうち，“＿Ｆｌａｓｈ”が，上記電子マークデータであり，タイムコードに類似した“０２／１０／２３／０９：４３：５２：０１”が，上記日時情報コードである。なお本実施の形態にかかる日時情報コードは，かかる例に限定されず，例えば，“０２：１０：２３：０９：４３：５２：０１”などである場合であっても実施可能である。上記電子マークデータとともに日時情報コードがテイクメタデータファイルに記録されることで，電子マークデータが記録されているコンテンツデータのフレームを迅速的に特定することができ，そのフレームからコンテンツデータを再生することができる。
【００７０】
また，本実施の形態にかかるコンテンツデータのフレームを特定するために日時情報コードを使用する場合を例に挙げて説明したが，かかる例に限定されず，例えば，日時情報コードの代わりに，タイムコード，コンテンツデータの先頭フレームからのフレーム番号，またはＦＴＣ（フレーム  タイム  コード）などの場合でも実施可能である。なお，ＦＴＣは，先頭フレームからのフレーム番号をタイムコード形式に表示したものである。
【００７１】
上記日時情報コードは，年，月，日，時間，およびフレーム値を表し，例えば上記“０２／１０／２３／０９：４３：５２：０１”では，“２００２年  １０月  ２３日  ９時４３分５２秒０１フレーム”であることを意味する。ビデオは，例えば１秒間で３０枚のフレームで構成される場合，フレーム値は，００から２９フレームの範囲である。時間は２４時間時計で昇順にカウントされる循環体系となっている。
【００７２】
上記テイクメタデータファイルが，テイクごとに撮像装置１０１によって生成されて，光ディスク１０４に，コンテンツデータとは別ファイルとして記録される。なお，テイクメタデータファイルが，コンテンツデータが記録される光ディスク１０４の記録領域とは別の領域に記録される場合等でも良い。また，本実施の形態にかかる日時情報コードは，コンテンツデータを構成するフレーム単位に付与される。したがって，撮像が数日間に渡る場合であっても，日時情報コードにより一意的に定まる。
【００７３】
（２．  映像コンテンツ編集支援システムの各コンポーネントの構成）
次に，図１，図５，図６，および図７を参照しながら，本実施の形態にかかる映像コンテンツ編集支援システムの各コンポーネントの構成について説明する。図５は，本実施の形態にかかる映像コンテンツ編集支援システムの撮像装置１０１の概略的な構成を示すブロック図であり，図６は，本実施の形態にかかる映像コンテンツ編集支援システムの再生装置１０２の概略的な構成を示すブロック図であり，図７は，本実施の形態にかかる映像コンテンツ編集支援システムの編集装置１０３の概略的な構成を示すブロック図である。
【００７４】
（２．１  ネットワーク１０５）
ネットワーク１０５は，撮像装置１０１，再生装置１０２，編集装置１０３のうち少なくとも２つとを相互に双方向通信可能に接続するものであり，本実施の形態では，ＲＳ−４２２又はＲＳ−２３２Ｃなどの有線通信であるが，かかる例に限定されず，ＩＥＥＥ８０２．１１ａ規格などを始めとした無線通信，さらに有線無線問わず，衛星通信や，光ファイバを使用した光通信なども含まれる。
【００７５】
（２．２  撮像装置１０１）
次に，図５を参照しながら，撮像装置１０１について説明する。図５は，本実施の一形態にかかる映像コンテンツ編集支援システムの撮像装置の概略的な構成を示すブロック図である。
【００７６】
撮像装置１０１は，被写体を撮像して，撮像したコンテンツデータを光ディスク１０４に記録して，光ディスク１０４に記録されたコンテンツデータを再生する機能を有する。
【００７７】
さらに撮像時に例えばフラッシュが発光される映像などの場合，撮像装置１０１は，フラッシュが発光される映像のコンテンツデータであるフラッシュ映像データに関連する電子マークデータを生成し，さらにこの電子マークデータを含むテイクごとに生成された上記電子マークデータからテイクメタデータファイルを光ディスク１０４に記録する機能を有する。なお，上記撮像装置１０１は，カメラおよび光ディスクドライブとが一体となった装置であるが，カメラと光ディスクドライブは一体である必要は無く，別体でも良い。
【００７８】
図５に示すように，撮像装置１０１は，映像データを生成し，撮像装置１０１におけるズーム，再生，または記録処理等の各処理制御するカメラブロック４０２と，音声データ，電子マークデータ，およびテイクメタデータファイルの生成，上記生成された音声データ，映像データ，テイクメタデータファイルを光ディスク１０４に記録したり，記録されたデータを再生するレコーダブロック４０３とから構成される。
【００７９】
カメラブロック４０２は，撮像部４０７と，ビデオプロセッサ４０８と，ビデオ圧縮部４０９と，ビデオインタフェース４１０と，データバス４１１と，カメラコントローラ４１３と，カメラコントローラインタフェース４１２と，ビデオプロセッサインタフェース４１４と，操作部インタフェース４１５と，操作部４１６と，メモリ部４１７と，ＣＰＵ（中央演算処理装置）４１８と，ビューファインダー４１９と，ビューファインダーインタフェース４２０と，レコーダインタフェース４２１とから構成される。
【００８０】
撮像部４０７は，少なくとも１つの撮像素子（撮像デバイス）を備える。撮像素子は，例えば，受光面に２次元的に設けられた光電変換素子からなる複数の画素により，被写体から受光した光学像を光電変換して電気的な画像信号として出力するＣＣＤなどの固体撮像デバイスが挙げられる。
【００８１】
ビデオプロセッサ４０８は，撮像部４０７により生成された映像データをＡ／Ｄ変換，ホワイトバランス処理，γ（ガンマ）補正や，アパーチャー（ａｐｅｒｔｕｒｅ）補正処理などを実行する。
【００８２】
ビデオ圧縮部４０９は，圧縮する必要がある場合，上記ビデオプロセッサ４０８によりＡ／Ｄ変換された映像データを，例えばモーションＪＰＥＧ，ＭＰＥＧ１，ＭＰＥＧ２−ＴＳ，またはＭＰＥＧ２−ＰＳ方式などにより圧縮処理（エンコード処理）し，ビデオインタフェース４１０は，ビデオ圧縮部４０９により圧縮された映像データを，コンテンツデータとしてデータバス４１１に転送（送受信）するための媒介として機能する。なお，本実施の形態にかかるビデオ圧縮部４０９は，圧縮が必要ない場合は，圧縮処理せずにビデオインタフェース４１０に出力する。
【００８３】
ビデオプロセッサインタフェース４１４は，上記ビデオプロセッサ４０８により，Ａ／Ｄ変換又は圧縮するための制御プロセッサデータなどを，ビデオプロセッサ４０８又はデータバス４１１に転送するための媒介として機能する。
【００８４】
カメラコントローラ４１３は，例えば操作部４１６などによる指示に基づき，撮像部４０７に対し絞りやズームの制御を行い，カメラコントローラインタフェース４１２は，データバス４１１から転送される例えば操作部４１６による指示データなどをカメラコントローラ４１３に転送するための媒介として機能する。
【００８５】
操作部４１６は，例えばズーム又は絞りの調整や，記録開始など各操作を行い，操作部インタフェース４１５は，上記操作部４１６の操作により生成される指示データをデータバス４１１に転送するための媒介として機能する。
【００８６】
ＣＰＵ４１８は，カメラブロック４０２の各部の処理を制御し，メモリ部４１７は，例えば，過去の撮像時のズームや絞りなどの撮像情報を記憶する。なお，メモリ部４１１は，ＲＡＭ，ＥＥＰＲＯＭなどが例示されるが，撮像情報などのデータを記憶可能であれば，かかる例に限定されない。
【００８７】
ビューファインダー４１９は，撮像する被写体の範囲を定めるための器具であり，撮像中又は再生時の映像データを表示し，さらに電子マークデータが生成された場合，電子マークデータを表示する。ビューファインダーインタフェース４２０は，データバス４１１から転送される映像データ又は電子マークデータなどを上記ビューファインダー４１９に転送するための媒介として機能する。
【００８８】
レコーダインタフェース４２１は，カメラブロック４０２とレコーダブロック４０３との間に，データを転送するための媒介として機能する。
【００８９】
レコーダブロック４０３は，マーク生成部４０４と，テイクメタデータ生成部４０５と，記録部４０６と，マイクロフォン４２２と，オーディオプロセッサ４２３と，オーディオインタフェース４２４と，オーディオプロセッサインタフェース４２５と，カメラインタフェース４２６と，通信部４２７と，日時情報コード生成部４２８と，ＬＣＤ表示インタフェース４３０と，ＬＣＤ表示４２９と，メモリカードインタフェース４３１と，メモリ部４３２と，ＣＰＵ４３３とから構成される。
【００９０】
マーク生成部４０４は，コンテンツデータに関連する電子マークデータを生成する。例えば，記録開始の場合は，“＿ＲｅｃＳｔａｒｔ”の電子マークデータを生成し，記録終了の場合は，“＿ＲｅｃＳｔａｒｔ”の電子マークデータを生成する。
【００９１】
さらに，マーク生成部４０４は，撮像されるコンテンツデータに特殊コンテンツデータを検出すると，上記特殊コンテンツデータに関連する電子マークデータを生成する。なお，特殊コンテンツデータは，コンテンツデータのうち特殊なコンテンツデータであり，映像データ及び音声データから構成されるが，映像データのみ，音声データのみの場合でも良い。
【００９２】
上記特殊コンテンツデータは，コンテンツデータであり，少なくともフラッシュが発光される映像のフラッシュ映像データ又は音声出力レベルが限界値を超えた映像の大音量音声データが例示されるが，かかる例に限定されず，例えば，例えば赤や青などの色がパタパタと入れ替わる映像のクロマフラッシュ映像データなどの場合でも実施可能である。なお，特殊コンテンツデータについては後程詳述する。
【００９３】
したがって，マーク生成部４０４は，例えばフラッシュが発光するコンテンツデータの場合，データバス４３４に伝送されるコンテンツデータに基づき，光の連続する明滅により生じるフラッシュを検出することにより，フラッシュ映像データであると判断すると，フラッシュ映像データに関連する電子マークデータ“＿Ｆｌａｓｈ”を生成する。さらに，マーク生成部４０４により，生成された電子マークデータは，メモリ部４３２に記憶される。
【００９４】
テイクメタデータ生成部４０５は，テイクごとに生成された電子マークデータに基づきテイクメタデータファイルを生成する。したがって，テイクメタデータ生成部４０５は，１回の記録開始から終了に至る連続した撮像処理において生成された電子マークデータ全てをメモリ部４３２から抽出し，撮像情報，および日時情報コードの付加処理などを行い，図４に示すテイクメタデータファイルの生成を行う。
【００９５】
カメラインタフェース４２６は，カメラブロック４０２とレコーダブロック４０３との間に，データを転送するための媒介として機能する。
【００９６】
オーディオプロセッサ４２３は，マイクロフォン４２２により伝送される音声データのＡ／Ｄ変換及び音声調整などを行い，必要に応じてＡ／Ｄ変換された音声データを圧縮する。
【００９７】
オーディオプロセッサインタフェース４２５は，上記オーディオプロセッサ４２３により生成するための制御プロセッサデータを，オーディオプロセッサ４２３又はデータバス４３４に転送するための媒介として機能し，オーディオインタフェース４２４は，必要に応じて圧縮された音声データをコンテンツデータとしてデータバス４３４に転送するための媒介として機能する。
【００９８】
通信部４２７は，撮像装置１０１から，少なくともコンテンツデータ又はテイクメタデータファイルなどのデータを，ネットワーク１０５を介して送受信する。
【００９９】
日時情報コード生成部４２８は，撮像時に年，月，日，及び時間などからなる日時情報コードのタイムカウントを行い，コンテンツデータのフレームごとに生成された上記日時情報コードを付加する。なお，本実施形態にかかる日時情報コードは，コンテンツデータのフレームを識別可能であれば，かかる例に限定されず，例えば，年，月，日，もしくは時間のうち少なくとも一つからなる情報コードや，コンテンツデータの先頭フレームからフレームにフレーム番号を付加する場合等であっても実施可能である。
【０１００】
ＬＣＤ表示４２９は，コンテンツデータの画像，日時情報コード，音声出力レベル，またはテイクメタデータファイルなどを表示する。ＬＣＤ表示インタフェース４３０は，上記ＬＣＤ表示４２９にコンテンツデータの画像，日時情報コード，音声出力レベル，またはテイクメタデータファイルなどを表示させるためデータバス４３４からデータを転送するための媒介として機能する。
【０１０１】
メモリインタフェース４３１は，例えば，メモリスティック（商標）等の半導体メモリに記録された撮像情報などのデータを転送するための媒介として機能する。したがって，例えばメモリスティックなどに他の撮像装置１０１で使用した撮像情報などを読み取り，または上記撮像情報などを書き込みすることが可能となる。
【０１０２】
ＣＰＵ４３３は，レコーダブロック４０３の各部の処理を制御し，メモリ部４３２は，電子マークデータなどのデータを記憶することが可能である。例えば，ＲＡＭ，ＥＥＰＲＯＭ，などを例示することができるが，かかる例に限定されず，本実施の形態にかかるメモリ部４３２は，ハードディスクなどの磁気記憶部であってもよい。
【０１０３】
また，本実施の形態にかかる管理部４０６は，テイクで撮像された映像データと音声データとからなるコンテンツデータと，テイクごとに生成されるテイクメタデータファイルとを光ディスク１０４に別ファイルとして記録する。したがって，光ディスク１０４に記録されたテイクメタデータを読み取り，表示すれば，コンテンツデータを再生せずにユーザはコンテンツデータの概略的な内容を把握することができる。
【０１０４】
なお，本実施の形態にかかる管理部４０６は，光ディスク１０４にコンテンツデータとテイクメタデータファイルを別ファイルとして記録する場合に限定されず，例えば，管理部４０６は，撮像により映像データと音声データとから成るコンテンツデータと，テイクごとに生成されるテイクメタデータファイルとを光ディスク１０４の記録領域に別々に記録する場合でもよい。なお，上記光ディスク１０４に記録される記憶領域は，コンテンツデータとテイクメタデータファイルとは別領域である。例えば，光ディスク１０４の同一トラック内におけるコンテンツデータが記録される記憶領域の前後にテイクメタデータファイルが記録される記憶領域が存在する場合，光ディスク１０４のコンテンツデータが記録される記憶領域及びテイクメタデータファイルが記録される記憶領域が予め定められている場合などが例示される。
【０１０５】
上記管理部４０６は，ドライブインタフェース４３５と，コンテンツデータ及びテイクメタデータファイルを光ディスクに記録する又は再生するためのデータ形式に変換するデータプロセッサ４３７と，光ディスク１０４に対してコンテンツデータ及びテイクメタデータファイルを読み／書きするためレーザーの発生及び受光部（図示せず。）を制御するピックアップコントロール４３６と，再生／記録するために光ディスク１０４を着脱制御するローディングメカニズムコントローラ４３８と，メカニズムインタフェース４３９とから構成されている。
【０１０６】
（２．３  再生装置１０２）
次に，図６を参照しながら，再生装置１０２について説明する。図６は，本実施の一形態にかかる映像コンテンツ編集支援システムの再生装置の概略的な構成を示すブロック図である。
【０１０７】
再生装置１０２は，光ディスク１０４に記録されたコンテンツデータの再生，光ディスク１０４に記録されたテイクメタデータファイルに基づき，コンテンツデータの粗編集をするための電子マークリストデータの生成，もしくはネットワーク１０５を介して送信されるコンテンツデータ又はテイクメタデータファイルなどのデータの記録をする。例えば，ＤＶＤを記録又は再生可能な装置などを例示することができる。
【０１０８】
図６に示すように，再生装置１０２は，外部ビデオインタフェース５０２と，ビデオ圧縮／伸張部５０９と，ビデオインタフェース５１０と，データバス５１１と，操作部インタフェース５１５と，操作部５１６と，メモリ部５１７と，ＣＰＵ５０３と，通信部５２７と，リスト生成部５０１と，ＬＣＤ表示５２９と，ＬＣＤ表示インタフェース５３０と，外部オーディオインタフェース５０５と，オーディオプロセッサ５２３と，オーディオインタフェース５２４と，記録再生部５０６とから構成される。
【０１０９】
外部ビデオインタフェース５０２は，コンテンツデータのうち映像データを再生装置１０２外部にネットワーク１０５を介して転送するための媒介として機能する。もしくはネットワーク１０５を介して転送されてくる映像データをビデオ圧縮／伸張部５０９に転送するための媒介として機能する。
【０１１０】
ビデオ圧縮／伸張部５０９は，映像データを，例えばモーションＪＰＥＧ，ＭＰＥＧ１，ＭＰＥＧ２−ＴＳ，またはＭＰＥＧ２−ＰＳ方式などに基づき，圧縮処理（エンコード処理）又は伸張処理（デコード処理）し，ビデオインタフェース５１０は，圧縮／伸張された映像データを，コンテンツデータとしてデータバス５１１又は上記ビデオ圧縮／伸張部５０９に転送するための媒介として機能する。
【０１１１】
操作部５１６は，例えばコンテンツデータの再生／記録など各操作の指示をして，操作部インタフェース５１５は，上記操作部５１６の操作により生成される処理を行うための指示データをデータバス５１１に転送するための媒介として機能する。
【０１１２】
ＣＰＵ５０３は，再生装置１０２に構成する各部の処理を制御し，メモリ部５１７は，例えば，光ディスクに記録されたテイクメタデータファイルをキャッシュするなど各種データを記憶する。なお，メモリ部５１７は，ＲＡＭ，ＥＥＰＲＯＭなどが例示されるが，データを記憶可能であれば，かかる例に限定されない。
【０１１３】
外部オーディオインタフェース５０５は，コンテンツデータのうち音声データを再生装置１０２外部にネットワーク１０５を介して転送するための媒介として機能する。もしくはネットワーク１０５を介して転送されてくる音声データをオーディオプロセッサ５２３に転送するための媒介として機能する。
【０１１４】
オーディオプロセッサ５２３は，音声データのＡ／Ｄ変換及び音声調整などを行い，必要に応じて音声データを圧縮する。オーディオインタフェース５２４は，音声データをデータバス４３４又はオーディオプロセッサ５２３に転送するための媒介として機能する。
【０１１５】
通信部５２７は，少なくとも電子マークリストデータ，コンテンツデータ，またはコンテンツデータのサムネールなどのデータを，ネットワーク１０５を介して送受信する。またＳＤＩによりテイクメタデータファイル又はコンテンツデータなどを，ネットワーク１０５を介して送信する場合，ＫＬＶ符号化などの符号化処理をする。
【０１１６】
ＬＣＤ表示５２９は，再生処理，記録処理，巻き戻し処理，早送り処理などの処理状況の表示，日時情報コードなどの表示をする。ＬＣＤ表示インタフェース５３０は，上記ＬＣＤ表示５２９に再生処理，記録処理，巻き戻し処理，早送り処理などの処理状況の表示，日時情報コードなどを表示させるためデータバス５１１からデータを転送するための媒介として機能する。
【０１１７】
記録再生部５０６は，光ディスク１０４に記録されたコンテンツデータの再生処理や，テイクメタデータファイルの抽出処理をする。さらに，撮像により映像データと音声データとから成るコンテンツデータと，テイクごとに生成されるテイクメタデータファイルとを光ディスク１０４に別ファイルとして記録することも可能である。
【０１１８】
なお，本実施の形態にかかる記録再生部５０６は，コンテンツデータとテイクメタデータとを別ファイルとして光ディスク１０４に記録する場合に限定されず，例えば，記録再生部５０６は，撮像により映像データと音声データとから成るコンテンツデータと，テイクごとに生成されるテイクメタデータファイルとを光ディスク１０４の記録領域に別々に記録する場合などでも可能である。なお，上記光ディスク１０４に記録される記憶領域は，コンテンツデータとテイクメタデータファイルとは別領域である。例えば，光ディスク１０４の同一トラック内におけるコンテンツデータが記録される記憶領域の前後にテイクメタデータファイルが記録される記憶領域が存在する場合，光ディスク１０４のコンテンツデータが記録される記憶領域及びテイクメタデータファイルが記録される記憶領域が予め定められている場合などが例示される。
【０１１９】
上記記録再生部５０６は，ドライブインタフェース５３５と，コンテンツデータ及びテイクメタデータファイルを光ディスクに記録する又は再生するためのデータ形式に変換するデータプロセッサ５３７と，光ディスク１０４に対してコンテンツデータ及びテイクメタデータファイルを読み／書きするためレーザーの発生及び受光部（図示せず。）を制御するピックアップコントロール５３６と，再生／記録するために光ディスク１０４を着脱制御するローディングメカニズムコントローラ５３８と，メカニズムインタフェース５３９とから構成されている。
【０１２０】
（２．４  編集装置１０３）
次に，図７を参照しながら，編集装置１０３について説明する。図７は，本実施の一形態にかかる映像コンテンツ編集支援システムの編集装置の概略的な構成を示すブロック図である。
【０１２１】
編集装置１０３は，再生装置１０２により光ディスク１０４を再生することにより，コンテンツデータまたは電子マークリストデータを表示することができる。また電子マークリストデータの変更／追加などの編集処理をすることができる。
【０１２２】
図７に示すように，編集装置１０３は，外部ビデオインタフェース６０２と，ビデオ圧縮／伸張部６０９と，ビデオインタフェース６１０と，データバス６１１と，入力部６０１と，入力部インタフェース６０４と，編集操作部６１２と，メモリ部６１７と，ＣＰＵ６０３と，通信部６２７と，ＬＣＤ表示６２９と，ＬＣＤ表示インタフェース６３０と，外部オーディオインタフェース６０５と，オーディオプロセッサ６２３と，オーディオインタフェース６２４と，出力部６０７と，出力部インタフェース６０８と，編集操作部６１２と，編集部６１３とから構成される。
【０１２３】
入力部６０１は，マウス又はキーボードなどから構成されており，キーボードを用いてテイクメタデータファイルのファイル名などを編集することができる。入力部インタフェース６０４は，転送されるデータを入力部６０１又はデータバス６１１とに転送するための媒介としての機能を有する。
【０１２４】
編集操作部６１２は，表示される電子マークリストデータからテイクメタデータファイルの選択，コンテンツデータの再生処理（早送り，巻き戻しなど含む。），または電子マークデータの追加などの編集処理をする。
【０１２５】
図８に示すように，編集操作部６１２は，マーク表示ボタン７０１と，映像表示ボタン７０２と，ジョグダイアル７０３と，Ｉｎ点指定ボタン７０４と，Ｏｕｔ点指定ボタン７０５とから構成されている。
【０１２６】
マーク表示ボタン７０１は，電子マークリストデータに含まれる電子マークデータの一覧を表示させるためのボタンであり，映像表示ボタン７０２は，選択された電子マークデータの設定位置から映像を再生させるためのボタンであり，ジョグダイアル７０３は，例えば円柱形状であり，円柱の軸方向を中心軸として円周方向に左右回動可能であり，ユーザが回動させることに応じて，電子マークデータを選択するためのマーク又はカーソルの移動や，コンテンツデータの再生速度等の調節が行われる。
【０１２７】
ジョグダイアル７０３によるコンテンツデータの再生調節は，例えば，回動しない状態では通常再生（再生速度：１倍速）であり，円周方向の右に回動すると早送り再生となり，回転角度が大きいほど，早送り再生の速度が上がる。また円周方向の左に回動すると巻き戻し再生となり，回転角度が大きいほど，巻き戻し再生の速度が上がる。
【０１２８】
さらに，Ｉｎ点指定ボタン７０４は，本編集に必要な映像シーン又は映像カットの開始位置を指定するためのボタンであり，Ｏｕｔ点指定ボタン７０５は，上記必要な映像シーン又は映像カットの終了位置を指定するためのボタンである。上記Ｉｎ点及びＯｕｔ点の指定により，ある１の映像シーン又は映像カットのスタートからエンドまでの範囲が定まる。なお，本実施の形態にかかる編集操作部６１２は，ジョグダイアル７０３などが備わる場合を例に挙げて説明したが，かかる例に限定されず，例えば，編集操作部６１２は，マウスなどのポインティングデバイスである場合も実施可能である。
【０１２９】
外部ビデオインタフェース６０２は，コンテンツデータのうち映像データを編集装置１０３の外部にネットワーク１０５を介して転送するための媒介として機能する。もしくはネットワーク１０５を介して転送されてくる映像データをビデオ圧縮／伸張部６０９に転送するための媒介として機能する。
【０１３０】
ビデオ圧縮／伸張部６０９は，映像データを，例えば，モーションＪＰＥＧ，ＭＰＥＧ１，ＭＰＥＧ２−ＴＳ，またはＭＰＥＧ２−ＰＳ方式などに従い，圧縮処理（エンコード処理）又は伸張処理（デコード処理）し，ビデオインタフェース６１０は，圧縮／伸張された映像データを，コンテンツデータとしてデータバス６１１又は上記ビデオ圧縮／伸張部６０９に転送するための媒介として機能する。
【０１３１】
ＣＰＵ６０３は，編集装置１０３に構成される各部の処理を制御し，メモリ部６１７は，例えば，電子マークリストデータを記憶するなど各種データを記憶する。なお，メモリ部６１７は，ＲＡＭ，ＥＥＰＲＯＭなどが例示されるが，データを記憶可能であれば，かかる例に限定されない。例えば，ハードディスク装置などの場合であってもよい。
【０１３２】
外部オーディオインタフェース６０５は，コンテンツデータのうち音声データを編集装置１０３の外部にネットワーク１０５を介して転送するための媒介として機能する。もしくはネットワーク１０５を介して転送されてくる音声データをオーディオプロセッサ６２３に転送するための媒介として機能する。
【０１３３】
オーディオプロセッサ６２３は，音声データのＡ／Ｄ変換及び音声調整などを行い，必要に応じて音声データを圧縮する。オーディオインタフェース６２４は，音声データをデータバス６１１又はオーディオプロセッサ６２３に転送するための媒介として機能する。
【０１３４】
通信部６２７は，少なくとも電子マークリストデータ，コンテンツデータ，またはコンテンツデータのサムネールなどのデータを，ネットワーク１０５を介して送受信する。またＳＤＩにより電子マークリストデータ，またはコンテンツデータを，ネットワーク１０５を介して送信する場合，ＫＬＶ符号化などの符号化処理をする。
【０１３５】
ＬＣＤ表示６２９は，ディスプレイ装置であり，例えば液晶モニタなどが例示することができる。ＬＣＤ表示６２９は，コンテンツデータの映像，日時情報コード，音声出力レベル，またはテイクメタデータファイルなどを表示する。さらに音声も出力される。ＬＣＤ表示インタフェース６３０は，上記ＬＣＤ表示６２９にコンテンツデータの映像及び音声，日時情報コード，音声出力レベル，またはテイクメタデータファイルなどを表示／出力させるためデータバス６１１からデータを転送するための媒介として機能する。
【０１３６】
編集部６１３は，本編集に必要な映像シーンのうち映像カットを選択し，上記映像カットをＩｎ点及びＯｕｔ点を定め映像範囲を定めるため，電子マークリストデータを編集することができる。
【０１３７】
電子マークリストデータの編集は，例えば，映像カットのＩｎ点及びＯｕｔ点を定めるため，Ｉｎ点及びＯｕｔ点の電子マークデータ（“＿Ｉｎ−ＸＸＸ”及び“＿Ｏｕｔ−ＸＸＸ”）の追加，不要な電子マークデータの削除などを例示することができる。
【０１３８】
（３．  映像コンテンツ編集支援システムにおける動作説明）
次に，上記のように構成された映像コンテンツ編集支援システムの動作の実施形態について説明する。
【０１３９】
まず，図９を参照しながら，本実施の形態にかかる映像コンテンツ編集支援システムの動作の全体構成について説明する。図９は，本実施の形態にかかる映像コンテンツ編集支援システムの動作の概略を示すフローチャートである。
【０１４０】
図９に示すように，本実施の形態にかかる映像コンテンツ編集支援システムは，撮像工程（Ｓ８０１）と，編集工程（Ｓ８０２）とから構成されている。撮像工程（Ｓ８０１）は，取材またはドラマなどの撮像のために少なくとも１回のテイクでコンテンツデータの撮像が全て終了するまでの工程を表す。なお，テイクは，１回の記録開始から終了に至る連続した撮像処理である。
【０１４１】
したがって，映像カットに使用するコンテンツデータを撮像する全ての撮像処理が終了するまで，つまり全テイクによるコンテンツデータの撮像が終了するまで，撮像工程（Ｓ８０１）は，継続される。図９に示すように，撮像終了まで撮像工程（Ｓ８０１）からなる撮像ループが実行される。
【０１４２】
撮像工程（Ｓ８０１）が終了すると，次に，本編集するために，粗編集又は粗つなぎ編集である編集工程（Ｓ８０２）が行われる。編集工程（Ｓ８０２）は，撮像工程（Ｓ８０１）において撮像されたコンテンツデータの中から，本編集に必要なコンテンツデータを取捨選択し，選択されたコンテンツデータにおいて，映像カットとして実際に使われる範囲を，Ｉｎ点及びＯｕｔ点を指定することにより，映像カットを決定する。
【０１４３】
編集工程（Ｓ８０２）が終了すると，粗編集において生成される編集リストデータに基づき，本編集が行われ，放送されるコンテンツデータが完成する。以下，撮像工程（Ｓ８０１）及び編集工程（Ｓ８０２）について説明する。
【０１４４】
（３．１  撮像工程（Ｓ８０１））
次に，図１０を参照しながら，撮像工程（Ｓ８０１）について説明する。図１０は，本実施の形態にかかる映像コンテンツ編集支援システムにおける撮像工程の概略的な動作を示すフローチャートである。
【０１４５】
まず，被写体を撮像するために，撮像装置１０１の電源をオンにすると，ステータスが記録可能状態となり，撮像可能なセットアップされた状態になる。また撮像装置１０１の操作部４１６を操作することにより，撮像日時，撮像時間，日時情報コード，および撮像情報などの設定が行われる。
【０１４６】
上記セットアップ作業が終了後，撮像が開始すると，マーク生成部４０４は，電子マークデータの生成事由の検出処理を開始する（Ｓ９０１）。まず撮像開始時，マーク生成部４０４は，光ディスク１０４に対してコンテンツデータの記録開始に関連する電子マークデータ（“＿ＲｅｃＳｔａｒｔ”）を生成する（Ｓ９０２）。
【０１４７】
“＿ＲｅｃＳｔａｒｔ”の電子マークデータが生成されると，電子マークデータ生成時点の日時情報コード生成部４２８により生成された日時情報コード及び“＿ＲｅｃＳｔａｒｔ”の電子マークデータとをメモリ部４３２又はメモリ部４１７に一時保有させる（Ｓ９０３）。
【０１４８】
撮像開始時の“＿ＲｅｃＳｔａｒｔ”の電子マークデータ生成以降，マーク生成部４０４は，電子マークデータ発生事由を検出（Ｓ９０１）するたびに，電子マークデータの生成（Ｓ９０２）と，電子マークデータの保有（Ｓ９０３）とを行う。
【０１４９】
撮像されたコンテンツデータは，撮像開始以降，撮像終了であるコンテンツデータの記録終了まで光ディスク１０４に記録される（Ｓ９０４）。なお，図１０に示すように，電子マークデータ発生事由の検出（Ｓ９０１）からコンテンツデータの記録（Ｓ９０４）までの処理は，テイクごとに行われ，１回のコンテンツデータの記録開始から終了までの連続する撮像処理が，例えば操作部４１６の記録停止ボタン（図示せず。）などにより終了するまで継続される。つまり，テイクが終了するまで，電子マークデータ生成事由検出（Ｓ９０１）〜コンテンツデータ記録（Ｓ９０４）までのテイクループが実行される。
【０１５０】
またマーク生成部４２８による上記電子マークデータ生成事由（Ｓ９０１）としては，図２に示すように，撮像開始時を生成事由として“＿ＲｅｃＳｔａｒｔ”の電子マークデータが生成される他に，例えば，撮像終了時に“＿ＲｅｃＥｎｄ”の電子マークデータの生成，特殊コンテンツデータの検出時に“＿Ｆｌａｓｈ”又は“＿ＯｖｅｒＡｕｄｉｏＬｉｍｉｔｅｒ”の電子マークデータの生成が例示される。以下，上記特殊コンテンツデータの検出時を生成事由として“＿Ｆｌａｓｈ”の電子マークデータが生成される場合について説明する。
【０１５１】
図１１を参照しながら，上記“＿Ｆｌａｓｈ”の電子マークデータの生成事由の検出について説明する。図１１は，本実施の形態にかかるフラッシュ映像データの概略的な構成を示す説明図である。
【０１５２】
上記“＿Ｆｌａｓｈ”の電子マークデータの生成事由の検出（Ｓ９０１）は，図１１に示すように，特殊コンテンツデータのうち，光の明滅により生じるフラッシュを伴って撮像されたフラッシュ映像データが検出されることである。
【０１５３】
図１１に示すフラッシュ映像データ１０００は，少なくとも一つのフレーム（フレーム１０１０，フレーム１０２０，・・・，フレーム１０６０）から構成されるコンテンツデータである。なお，フレーム１０１０〜フレーム１０６０のうち，フレーム１０１０，フレーム１０２０，およびフレーム１０６０の輝度レベルの合計値（又は平均値）が最も低く，フレーム１０４０が輝度レベルの合計値（又は平均値）が最も高い。
【０１５４】
フラッシュ映像データ１０００は，光の明滅によるフラッシュが発光されることから，例えば，フレーム１０１０からフレーム１０６０までの各フレームの輝度レベルの合計値（又は平均値）を計算し，再生方向に従い，フレーム間に輝度レベルの合計値（又は平均値）の増減が生じた場合，光の明滅が生じ，特殊コンテンツデータのうちのフラッシュ映像データ１０００であると判断される。
【０１５５】
図１１に示すように，輝度レベルの合計値（又は平均値）は，フレーム１０１０からフレーム１０２０にかけて，ほぼ増減はないが，フレーム１０２０からフレーム１０３０では，輝度レベルの合計値（又は平均値）は増加する。つまり光が発光し始める瞬間である。
【０１５６】
さらに，フレーム１０３０からフレーム１０４０では，輝度レベルの合計値（又は平均値）はさらに増加する。しかし，フレーム１０４０からフレーム１０５０では，フレーム１０４０の輝度レベルをピークとして，輝度レベルの合計値（又は平均値）は減少する。つまり，発光し終わる瞬間である。さらに，所定時間内に輝度レベルの合計値（又は平均値）が増加および減少していることから，マーク生成部４０４は，“＿Ｆｌａｓｈ”の電子マークデータの生成事由が検出されたと判断し，“＿Ｆｌａｓｈ”の電子マークデータを生成する。
【０１５７】
なお，上記特殊コンテンツデータのうち大音量音声データについても，上記説明したように，マーク生成部４０４は，フレームごとに音声が出力される音声出力レベルを検出し，所定時間内に音声出力レベルの合計値（又は平均値）が所定レベルを超えた場合，“＿ＯｖｅｒＡｕｄｉｏＬｉｍｉｔｅｒ”の電子マークデータの生成事由を検出したと判断する。
【０１５８】
図１０に示すテイクごとの撮像（Ｓ９０１〜Ｓ９０２）が終了すると，テイクメタデータ生成部４０５は，メモリ部４３２又はメモリ部４１７にアクセスし，同一テイク内に生成された電子マークデータ及び当該電子マークデータ生成時の日時情報コードを抽出する。
【０１５９】
少なくとも上記抽出された電子マークデータ及び日時情報コードと，撮像時に記録される撮像情報とに基づき，テイクメタデータ生成部４０５は，図４に示すテイクメタデータファイルをテイクごとに生成する（Ｓ９０５）。
【０１６０】
上記生成されたテイクメタデータファイルは，管理部４０６により，光ディスク１０４に記録される（Ｓ９０５）。テイクメタデータファイルが記録される光ディスク１０４は，図１２に示すディレクトリ構造を有する。図１２は，本実施の形態にかかる光ディスク１０４の概略的なディレクトリ構造を示す説明図である。
【０１６１】
図１２に示すように，ＲＯＯＴ（ルート）フォルダ１２００配下に“ＴＡＫＥ  ａ”フォルダ１２０１，“ＴＡＫＥ  ｂ”フォルダ１２０２，…と少なくとも一つのフォルダ（１２０１，１２０２，…）を有し，上記の各フォルダ（１２０１，１２０２，…）には，テイクごとに撮像されたコンテンツデータである“Ｖｉｄｅｏ  ａデータ”及びテイクメタデータファイルである“ＴＡＫＥ  ＭＥＴＡＤＡＴＡ  ａ”ファイルと，“Ｖｉｄｅｏ  ｂ”及び及びテイクメタデータファイルである“ＴＡＫＥ  ＭＥＴＡＤＡＴＡ  ｂ”ファイル，…とがテイクごとに各フォルダ（１２０１，１２０２，…）に記録される。
【０１６２】
したがって，コンテンツデータと当該コンテンツデータに係るテイクメタデータファイルとは，例えば，テイクごとに同一フォルダ内に別ファイルとして記録される。なお，コンテンツデータとテイクメタデータファイルは同一フォルダ内に別ファイルとして記録されるが，例えば，コンテンツデータとテイクメタデータファイルとがＵＭＩＤ等によりリンクされていれば，かかる例に限定されない。さらに，本実施の形態にかかる光ディスク１０４の記録処理について，コンテンツデータとテイクメタデータとを光ディスク１０４の別々の記録領域に記録する場合でも実施可能である。
【０１６３】
また図１３に示すように，光ディスク１０４は，記録領域として複数のトラックを有する。図１３は，本実施の形態にかかる光ディスクの概略的な構造を示す説明図である。図１０に示す光ディスク１０４へのコンテンツデータ記録処理（Ｓ９０１）は，図１３に示すように，まずＡ地点からコンテンツデータを記録開始し，テイクによる撮像処理が終了するまで，コンテンツデータを光ディスクの略同心円状，実際には螺旋状に構成される複数のトラックに例えば内側から順に記録する。
【０１６４】
撮像が終了すると，図１３に示すように，コンテンツデータの光ディスク１０４に対する記録がＢ地点で終了する。以後，テイクごとに，残された光ディスク１０４の記録領域（Ｂ地点以降のトラック）にコンテンツデータの記録処理が繰り返される。
【０１６５】
Ａ地点は，あるテイクにより撮像されたコンテンツデータの記録開始地点を表し，Ｂ地点は当該コンテンツデータの記録終了地点を表す。なお，本実施の形態にかかるＡ地点及びＢ地点はコンテンツデータの記録開始地点及び記録終了地点であるが，かかる例に限定されず，上記コンテンツデータの記録開始及び終了する地点は，光ディスク１０４上であれば他の地点の場合であっても実施可能である。
【０１６６】
さらに，図１０に示すテイクメタデータファイルの記録処理（Ｓ９０６）は，上記テイクにより撮像されたコンテンツデータの記録処理（Ｓ９０４）終了後，光ディスク１０４の記録領域にテイクメタデータファイルがＣ地点からＤ地点まで記録される。
【０１６７】
Ｃ地点は，あるテイクにより撮像されたコンテンツデータに対して生成されるテイクメタデータファイルの記録開始地点を表し，Ｄ地点は当該テイクメタデータファイルの記録終了地点を表す。なお，本実施の形態にかかるＣ地点及びＤ地点はテイクメタデータファイルの記録開始地点及び記録終了地点であるが，かかる例に限定されず，テイクメタデータファイルの記録開始及び終了する地点は，光ディスク１０４上であれば他の地点の場合であっても実施可能である。
【０１６８】
また図１３に示すように，本実施の形態にかかる光ディスク１０４に記録されるテイクメタデータファイルは，コンテンツデータの記録される記憶領域の外側である場合を例に挙げて説明したが，かかる例に限定されず，例えば，コンテンツデータの記録される記録領域であるトラックの内側である場合や，コンテンツデータの記録されたトラック直後又は直前を記録開始地点としテイクメタデータファイルを記録する場合などであっても実施可能である。
【０１６９】
また図１０に示すように，本実施の形態にかかるテイクメタデータファイルの生成（Ｓ９０５）及びテイクメタデータファイルの記録（Ｓ９０６）は，１のテイクによる撮像されたコンテンツデータが記録（Ｓ９０４）終了すると，実行される場合を例に挙げて説明したが，かかる例に限定されず，例えば，全テイクにより撮像されたコンテンツデータの記録終了後，全テイクに対するテイクメタデータファイルをまとめて一括生成し，テイクごとに記録する場合であっても実施可能である。
【０１７０】
図１３に示すように，本実施の形態にかかるコンテンツデータ及びテイクメタデータファイルが記録される記憶領域は予め定められていない場合を例に挙げて説明したが，かかる例に限定されず，例えば，コンテンツデータとテイクメタデータファイルとが光ディスク１０４に記録される記憶領域は，予めコンテンツデータが記録される映像記憶領域と，テイクメタデータファイルが記録されるメタデータ記憶領域と予め定められている場合であっても実施可能である。
【０１７１】
以上から，光ディスク１０４には，コンテンツデータと，テイクメタデータファイルとが区別され，別ファイルとして記録される。さらに光ディスク１０４は，ランダムアクセスが可能であるため，必要なテイクメタデータファイルのみを直接アクセスし，テイクメタデータファイル内に含まれる全ての電子マークデータを抽出することができる。なお，従来の磁気テープなどでは，コンテンツデータが記録されるフレームの領域内に電子マークデータが個別に記録されており，コンテンツデータを最初から最後まで再生しないと全ての電子マークデータを抽出することができなかった。
【０１７２】
なお，本実施の形態にかかる光ディスク１０４には，コンテンツデータとテイクメタデータとが別ファイルとして記録される場合に限定されず，例えば，光ディスク１０４には，コンテンツデータと，テイクごとに生成されるテイクメタデータファイルとが光ディスク１０４における記録領域に別々に記録される場合などでも可能である。
【０１７３】
（３．２  編集工程（Ｓ８０２））
次に，図１４を参照しながら，編集工程（Ｓ８０２）について説明する。図１４は，本実施の形態にかかる映像コンテンツ編集支援システムにおける編集工程の概略的な動作を示すフローチャートである。
【０１７４】
まず，全テイクの撮像終了後，粗編集を行うために，コンテンツデータ及びテイクメタデータファイルが記録された光ディスク１０４を，再生装置１０２にロードさせる。
【０１７５】
再生装置１０２は，上記光ディスク１０４に記録されたテイクメタデータファイルに基づき，粗編集を行うための電子マークリストデータを生成する（Ｓ１３００）。なお，本実施の形態にかかる再生装置１０２に光ディスク１０４をロードさせる場合を例に挙げて説明したが，かかる場合に限定されず，例えば，撮像装置１０１に光ディスク１０４をロードさせ，電子マークリストデータを生成する場合であっても実施可能である。
【０１７６】
電子マークリストデータは，図１５に示すように，少なくとも電子マークデータと当該電子マークデータが生成された日時情報コードとを一組とする少なくとも一つ以上のデータから構成されている。図１５は，本実施の形態にかかる編集前の電子マークリストデータの概略的な構成を示す説明図である。
【０１７７】
電子マークリストデータは，テイクメタデータファイルに準ずるＸＭＬ形式に作成されるメタデータであるが，かかる例に限定されず，テキストデータから構成される場合等であっても実施可能である。
【０１７８】
上記生成された電子マークリストデータは，再生装置１０２のメモリ部５１７に一時保有（Ｓ１３０１）される。なお，図１４に示すように，本実施の形態にかかるテイクメタデータファイルの生成及び保有は，ロード時に全テイクメタデータファイルに対して，テイクメタデータファイルごとに一括して電子マークリストデータが生成される場合を例に挙げて説明したが，かかる例に限定されず，例えば，電子マークリストデータ必要時に随時テイクメタデータファイルに基づき，生成する場合であっても実施可能である。
【０１７９】
図１４に示すように，電子マークリストデータ生成（Ｓ１３００）及び電子マークリストデータ保有（Ｓ１３０１）からなる電子マークリストデータ生成ループは，テイクメタデータファイルの終了まで実行される。
【０１８０】
つまりテイクメタデータファイル全てについて電子マークリストデータの生成（Ｓ１３００）及び保有（Ｓ１３０１）が終了すると，再生装置１０２は，編集装置１０３にネットワーク１０５を介して送信する。なお，本実施の形態にかかる電子マークリストデータがネットワーク１０５を介して送信されるのは，ＳＤＩによりネットワーク１０５を介して送信する場合も実施可能であり，この場合は，上記説明したようにテキストデータとしての電子マークリストデータのうち電子マークデータと日時情報データとを別々に，ＫＬＶ符号化され，映像データのＶ‐ａｎｃｉｌｌａｒｙ領域に格納されて，それぞれ伝送される。
【０１８１】
次に，編集装置１０３は，テイクメタデータファイルに基づいてテイクごとに生成された電子マークリストデータのうち，本編集に必要な電子マークリストデータを選択する（Ｓ１３０２）。
【０１８２】
ここで，図１６を参照しながら，本実施の形態にかかる電子マークリストデータの選択について説明する。図１６は，本実施の形態にかかる電子マークリストデータを編集するための編集画面を概略的に示す説明図である。
【０１８３】
図１６に示すように，編集装置１０３のＬＣＤ表示部６２９に電子マークリストデータを編集するための編集画面１６００が表示される。上記編集画面１６００は，コンテンツデータ，電子マークリストデータ，または電子マークデータが表示される映像ディスプレイ１６０８と，電子マークリストデータに例えば映像カットのコメントなど必要な情報を追加するためのメッセージ入力部１６０６と，選択された電子マークデータ又は電子マークリストデータの名称が表示される表示部１６１０とから構成されている。
【０１８４】
なお，表示部１６１０は，選択された電子マークデータ及び日時情報コードや，電子マークリストデータのファイル名等が表示されるが，表示部１６１０に表示される電子マークデータ及び日時情報コードや，電子マークリストデータのファイル名等を編集することも可能である。例えば，選択された電子マークデータが“＿Ｆｌａｓｈ”である場合，編集することにより，“＿ＯｖｅｒＡｕｄｉｏＬｉｍｉｔｅｒ”に変更するなどである。なお，編集された内容は，電子マークリストデータに更新される。
【０１８５】
図１６に示すように，映像ディスプレイ１６０８には，再生装置１０２により再生された電子マークリストデータの一覧が表示される。さらに，編集操作部６１２のジョグダイアル７０３を操作することにより，電子マークリストデータの左に表示される“○”カーソルが上下に移動し，電子マークリストデータを選択（Ｓ１３０２）することが可能になる。
【０１８６】
電子マークリストデータを選択（Ｓ１３０２）し，マーク表示ボタン７０１が押下などにより選択されると，図１７に示すように，編集画面１６００の映像ディスクプレイ１６０８に上記選択された電子マークリストデータが表示される。図１７は，本実施の形態にかかる電子マークリストデータを編集するための編集画面を概略的に示す説明図である。
【０１８７】
図１７に示すように，編集装置１０３は，映像ディスプレイ１６０８に表示される電子マークリストデータから，編集操作部６１２のジョグダイアル７０３の操作により，“○”カーソルを上下に移動させ，電子マークデータを選択する。
【０１８８】
電子マークデータは，コンテンツデータに特殊な映像が含まれること又は撮像時の処理などに関して，インデックス的役割を果たすメタデータである。つまり電子マークデーは，本編集時に必要となる映像シーンに含まれる映像カットを抽出するための見出しとなる。したがって，電子マークデータに着目することで，本編集に必要な映像シーンに構成する映像カットの取捨選択が可能となる。
【０１８９】
ジョグダイアル７０３の操作により，電子マークデータが選択され，映像表示ボタン７０２が押下などにより選択されると，再生装置１０２は，編集装置１０３にコンテンツデータをＳＤＩによりネットワーク１０５を介して伝送し，図１８に示すように，選択された電子マークデータが生成された日時情報コードの地点からコンテンツデータが映像ディスプレイ１６０８に再生される。図１８は，本実施の形態にかかる電子マークリストデータを編集するための編集画面を概略的に示す説明図である。なお，図１８に示す映像ディスプレイ１６０８は，コンテンツデータ再生時には電子マークリストデータは表示されていないが，かかる例に限定されず，例えば，電子マークリストデータの背景としてコンテンツデータを表示させることも実施可能である。
【０１９０】
また，本実施の形態にかかる映像ディスプレイ１６０８に再生されるコンテンツデータは，高解像度の非圧縮である場合を例に挙げて説明したが，かかる例に限定されず，例えば，再生装置１０２により，モーションＪＰＥＧ，ＭＰＥＧ１，又はＭＰＥＧ２方式などで圧縮された低解像度のコンテンツデータを生成し，編集装置１０３に伝送する場合であっても実施可能である。この場合，再生装置１０２は，光ディスク１０４に記録されたコンテンツデータに基づき，低解像度に圧縮されたコンテンツデータを一括して編集装置１０３に伝送又は編集装置１０３により再生される分だけ低解像度に圧縮されたコンテンツデータを伝送する場合のどちらでもよい。
【０１９１】
次に，図１８に示す映像ディスプレイ１６０８に表示されたコンテンツデータから本編集に必要な映像カットの範囲を決定するため，編集装置１０３は，編集操作部６１２のＩｎ点指定ボタン７０４及びＯｕｔ点指定ボタン７０５から押下などによる指示に基づき，Ｉｎ点及びＯｕｔ点の指定など電子マークリストデータを編集する（Ｓ１３０３）。
【０１９２】
電子マークリストデータの編集（Ｓ１３０３）において，例えばＩｎ点及びＯｕｔ点の指定は，ジョグダイアル７０３の回動などの操作により，コンテンツデータを適当な位置に送る。
【０１９３】
さらに各Ｉｎ点指定ボタン７０４及びＯｕｔ点指定ボタン７０５の押下などにより，その押下時のコンテンツデータのフレームに記録された日時情報コードに基づき，各Ｉｎ点及びＯｕｔ点が指定される。
【０１９４】
Ｉｎ点及びＯｕｔ点が指定されると，図１９に示すように，編集部６１３は，電子マークリストデータに，Ｉｎ点（切り出し開始点）を表す“＿Ｉｎ−００１”の電子マークデータ及び日時情報コードと，Ｏｕｔ点（切り出し終了点）を表す“＿Ｏｕｔ−００１”の電子マークデータ及び日時情報コードとを生成し，追加する。図１９は，本実施の形態にかかる編集後の電子マークリストデータの概略的な構成を示す説明図である。
【０１９５】
なお，図１９に示すように，本実施の形態にかかる“＿Ｉｎ−００１”及び“＿Ｏｕｔ−００１”は，最初に生成されたＩｎ点及びＯｕｔ点を示し，以後生成されるごとにシーケンスに番号が増えていく。つまり２番目に生成されるＩｎ点及びＯｕｔ点は，“＿Ｉｎ−００２”及び“＿Ｏｕｔ−００２”である。
【０１９６】
編集操作部６１２のマーク表示ボタン７０１が再度押下などにより選択されると，図２０に示すように，映像ディスプレイ１６０８に編集された電子マークリストデータが表示される。図１９に示すように，電子マークリストデータの編集（Ｓ１３０３）により追加された“＿Ｉｎ−００１”及び“＿Ｏｕｔ−００１”の電子マークデータは最後尾に追加されているが，映像ディスプレイ１６０８には日時情報コードにより昇順にソートされているため“＿Ｉｎ−００１”は最上位に表示されている。図２０は，本実施の形態にかかる電子マークリストデータを編集するための編集画面を概略的に示す説明図である。
【０１９７】
また，上記電子マークリストデータのうちＩｎ点が指定された“＿Ｉｎ−００１”の電子マークデータがジョグダイアル７０３により選択され，映像表示ボタン７０２が押下されると，上記“＿Ｉｎ−００１”と同じ番号を持つ“＿Ｏｕｔ−００１”の地点までコンテンツデータが映像ディスプレイ１６０８に再生される。したがって，本編集に必要な映像カットの確認をすることが可能となる。
【０１９８】
選択された電子マークリストデータの編集が終了し，別の電子マークリストデータの編集をする場合（Ｓ１３０４），編集装置１０３のＬＣＤ表示部６２９には，図１６に示す電子マークリストデータの一覧が映像ディスプレイ１６０８に表示され，以降，上記説明したように電子マークリストデータの選択（Ｓ１３０２）及び電子マークリストデータの編集（Ｓ１３０３）が行われる。
【０１９９】
他の電子マークリストデータの編集が必要ない場合（Ｓ１３０４），編集部６１３は，本編集で用いられる編集リストデータを生成する（Ｓ１３０５）。本実施の形態にかかる編集リストデータには，コンテンツデータにＩｎ点およびＯｕｔ点が設定され，選択された映像カットのうち，再生する順番に並べ替えられた映像カットの再生順番などが含まれる。なお，本実施の形態にかかる粗編集は，図１４に示すようにＳ１３００〜Ｓ１３０５から構成されるが，かかる例に限定されない。
【０２００】
また，本実施の形態にかかる編集リストデータは，ＥＤＬ（Ｅｄｉｔ  Ｄｅｃｉｓｉｏｎ  Ｌｉｓｔ）形式に生成されるが，かかる例に限定されず，編集リストデータの形式は，他のいかなる形式であっても，実施可能である。
【０２０１】
編集リストデータが生成されると，編集工程（Ｓ８０２）が終了し，本編集前の粗編集作業が完了する。したがって次に，編集リストデータ及び光ディスク１０４に記録されたコンテンツデータに基づき，本編集が行われ完パケとしてのコンテンツデータが生成される。
【０２０２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０２０３】
上記実施形態においては，記録媒体が光ディスク１０４である場合を例にあげて説明したが，本発明はかかる例に限定されない。例えば，記録媒体が磁気ディスクや半導体を用いた固体メモリなどである場合であっても実施可能である。
【産業上の利用可能性】
【０２０４】
本発明はコンテンツデータを編集する編集システムに適用可能であり，特にコンテンツ編集支援システム，映像処理装置，再生装置，編集装置，コンピュータプログラム，コンテンツ処理方法に適用可能である。
【図面の簡単な説明】
【０２０５】
【図１】本実施の形態にかかるコンテンツ編集支援システムの映像コンテンツ編集支援システムの概略的な構成を示すブロック図である。
【図２】本実施の形態にかかるコンテンツ編集支援システムの電子マークデータの種類を示す説明図である。
【図３】本実施の形態にかかるコンテンツ編集支援システムの電子マークデータのＫＬＶ符号化されたフォーマットを示す説明図である。
【図４】本実施の形態にかかるコンテンツ編集支援システムのテイクメタデータファイルの概略的な構成を示す説明図である。
【図５】本実施の形態にかかるコンテンツ編集支援システムの撮像装置の概略的な構成を示すブロック図である。
【図６】本実施の形態にかかるコンテンツ編集支援システムの再生装置の概略的な構成を示すブロック図である。
【図７】本実施の形態にかかるコンテンツ編集支援システムの編集装置の概略的な構成を示すブロック図である。
【図８】本実施の形態にかかるコンテンツ編集支援システムの編集装置の編集操作部の概略的な構成を示す平面図である。
【図９】本実施の形態にかかるコンテンツ編集支援システムの動作の概略を示すフローチャートである。
【図１０】本実施の形態にかかるコンテンツ編集支援システムにおける撮像工程の概略的な動作を示すフローチャートである。
【図１１】本実施の形態にかかるコンテンツ編集支援システムのフラッシュ映像データの概略的な構成を示す説明図である。
【図１２】本実施の形態にかかるコンテンツ編集支援システムの光ディスクの概略的なディレクトリ構造を示す説明図である。
【図１３】本実施の形態にかかる光ディスクのコンテンツ編集支援システムの概略的な構造を示す説明図である。
【図１４】本実施の形態にかかるコンテンツ編集支援システムにおける編集工程の概略的な動作を示すフローチャートである。
【図１５】本実施の形態にかかるコンテンツ編集支援システムの編集前の電子マークリストデータの概略的な構成を示す説明図である。
【図１６】本実施の形態にかかるコンテンツ編集支援システムの電子マークリストデータを編集するための編集画面を概略的に示す説明図である。
【図１７】本実施の形態にかかるコンテンツ編集支援システムの電子マークリストデータを編集するための編集画面を概略的に示す説明図である。
【図１８】本実施の形態にかかるコンテンツ編集支援システムの電子マークリストデータを編集するための編集画面を概略的に示す説明図である。
【図１９】本実施の形態にかかるコンテンツ編集支援システムの編集後の電子マークリストデータの概略的な構成を示す説明図である。
【図２０】本実施の形態にかかるコンテンツ編集支援システムの電子マークリストデータを編集するための編集画面を概略的に示す説明図である。
【符号の説明】
【０２０６】
１０１  ：撮像装置
１０２  ：再生装置
１０３  ：編集装置
１０４  ：光ディスク
１０５  ：ネットワーク
４０４  ：マーク生成部
４０５  ：テイクメタデータ生成部
４０６  ：管理部
５０１  ：リスト生成部
６１３  ：編集部
【図１】
2004180279.tif 000003
【図２】
2004180279.tif 000004
【図３】
2004180279.tif 000005
【図４】
2004180279.tif 000006
【図５】
2004180279.tif 000007
【図６】
2004180279.tif 000008
【図７】
2004180279.tif 000009
【図８】
2004180279.tif 000010
【図９】
2004180279.tif 000011
【図１０】
2004180279.tif 000012
【図１１】
2004180279.tif 000013
【図１２】
2004180279.tif 000014
【図１３】
2004180279.tif 000015
【図１４】
2004180279.tif 000016
【図１５】
2004180279.tif 000017
【図１６】
2004180279.tif 000018
【図１７】
2004180279.tif 000019
【図１８】
2004180279.tif 000020
【図１９】
2004180279.tif 000021
【図２０】
2004180279.tif 000022